(57)【要約】【課題】  振動板アセンブリ、該振動板アセンブリを具えたスピーカ一体型画像表示装置、及び該表示装置を具えた電子機器において、視覚される画像の品質の劣化防止及びスピーカ特性の最適化を行なう。【解決手段】  本発明に係る振動板アセンブリ２は、中央部に画像表示器５の表示画面に対応する形状の開口26を有する外周振動板20と、該外周振動板20の開口26を塞いで該外周振動板20に重ね合わせて固定された透明の中央振動板30とから構成されている。【選択図】      図７
2006054668.tif 000002
【特許請求の範囲】
【請求項１】
画像表示器の表示画面を覆って配置されるべきスピーカユニットの構成要素となる振動板アセンブリであって、中央部に前記表示画面に対応する形状の開口(26)を有する外周振動板(20)と、該外周振動板(20)の開口(26)を塞いで該外周振動板(20)に重ね合わせて固定された透明の中央振動板(30)とから構成され、外周振動板(20)の弾性変形によって中央振動板(30)が振動することを特徴とする振動板アセンブリ。
【請求項２】
外周振動板(20)及び中央振動板(30)はそれぞれ合成樹脂の一体成型品である請求項１に記載の振動板アセンブリ。
【請求項３】
前記外周振動板(20)は、前記中央振動板(30)よりも薄肉に形成されている請求項２に記載の振動板アセンブリ。
【請求項４】
前記外周振動板(20)は、前記中央振動板(30)を形成する合成樹脂よりも弾性係数の小さな合成樹脂によって形成されている請求項２又は請求項３に記載の振動板アセンブリ。
【請求項５】
前記外周振動板(20)には、前記開口(26)の内周縁に沿って、前記中央振動板(30)の外周部を固定するための環状の平坦部(25)が形成されると共に、該平坦部(25)を包囲して、中央振動板(30)の外周縁が当接する環状の傾斜壁部(24)が形成されている請求項２乃至請求項４の何れかに記載の振動板アセンブリ。
【請求項６】
フレーム(１)の内部に、請求項１乃至請求項５の何れかに記載された振動板アセンブリ(２)と、該振動板アセンブリ(２)を振動させる駆動装置(４)とを配備して構成されるスピーカユニット。
【請求項７】
画像表示器(５)の表示画面を覆ってスピーカユニット(３)が配置されたスピーカ一体型画像表示装置であって、前記スピーカユニット(３)は、扁平なフレーム(１)の内部に、振動板アセンブリ(２)と、該振動板アセンブリ(２)を振動させる駆動装置(４)とを配備して構成され、前記振動板アセンブリ(２)は、中央部に前記表示画面に対応する形状の開口(26)を有する外周振動板(20)と、該外周振動板(20)の開口(26)を塞いで該外周振動板(20)に重ね合わせて固定された透明の中央振動板(30)とから構成され、外周振動板(20)の外周部(21)が前記フレーム(１)に固定されて、該外周振動板(20)の弾性変形によって中央振動板(30)が振動することを特徴とするスピーカ一体型画像表示装置。
【請求項８】
前記駆動装置(４)は、前記振動板アセンブリ(２)の外周振動板(20)に固定されたコイル(41)と、該コイル(41)に対向させて前記フレーム(１)に配備された磁気発生部(40)とから構成される請求項７に記載のスピーカ一体型画像表示装置。
【請求項９】
画像表示器(５)の表示画面を覆ってスピーカユニット(３)が配置されたスピーカ一体型画像表示装置を具えた電子機器であって、前記スピーカユニット(３)は、扁平なフレーム(１)の内部に、振動板アセンブリ(２)と、該振動板アセンブリ(２)を振動させる駆動装置(４)とを配備して構成され、前記振動板アセンブリ(２)は、中央部に前記表示画面に対応する形状の開口(26)を有する外周振動板(20)と、該外周振動板(20)の開口(26)を塞いで該外周振動板(20)に重ね合わせて固定された透明の中央振動板(30)とから構成され、外周振動板(20)の外周部(21)が前記フレーム(１)に固定されて、該外周振動板(20)の弾性変形によって中央振動板(30)が振動することを特徴とする電子機器。
【発明の詳細な説明】
【技術分野】
【０００１】
本発明は、画像表示器の表示画面を覆って配置されるスピーカユニットの構成要素となる振動板アセンブリ、該振動板アセンブリを具えたスピーカ一体型画像表示装置、及び該表示装置を具えた携帯電話機やデジタルカメラ等の電子機器に関するものである。
【背景技術】
【０００２】
従来のスピーカ一体型画像表示装置は、図１５に示す如く、フレーム(10)の中央に設けられた画像表示器(５)と、該画像表示器(５)を覆って配置された透明の振動板(６)と、該振動板(６)の外周部に配置された駆動部(４)とを具え、フレーム(10)の上面に設けた開口部(14)から、振動板(６)を通して画像表示器(５)の画像が視覚出来ると共に、駆動部(４)に駆動電流を供給することによって振動板(６)が振動して音声が発生する様になっている(特許文献１参照)。
【特許文献１】実用新案登録第３０７８０２２号公報
【発明の開示】
【発明が解決しようとする課題】
【０００３】
ところで、図１２は、特許出願人が提案しているスピーカ一体型画像表示装置(未公開)を表わしている。フレーム(1a)には矩形状の凹面(12)が設けられ、該凹面(12)内に画像表示器(５)及び振動板(６)が配備されている。フレーム(１a)の上面と振動板(６)の中央部(65)は、略同一面上に位置し、振動板(６)の外周部(61)は湾曲して、その外周縁がフレーム(１a)の凹面(12)の外周部に当接し、該外周部に接着剤で貼り付けられている。又、フレーム(１a)上には、振動板(６)の外周部(61)に対向して、振動板(６)を振動させる駆動装置(４)が配備されている。
振動板(６)は、一般のスピーカユニットに用いられる振動板に要求されるスピーカ特性を満たすと共に、画像表示器(５)の画像が振動板(６)を通して視覚されるために光透過率等の光学特性も満たす必要がある。従って、振動板(６)を構成する材料は光透過率が高く且つ柔軟な材料である必要があり、フィルム状の透明樹脂が用いられている。
更に、スピーカ特性において特に低音特性を向上させるには、図１３に示す如く、振動板(６)の外周部(61)の厚さｔ１を出来るだけ薄くすることが必要である一方、中央部(65)の厚さｔ２は、振動板の強度を保つために一定以上の厚さにする必要がある。
【０００４】
上述の振動板(６)は、前記中央部(65)の厚さｔ２に等しい均一な厚さの透明樹脂フィルムの外周部を圧延して薄肉化することにより作製が可能である。しかしながら、該作製方法では、外周部(61)の厚さを中央部(65)の厚さの２分の１以下にすることは困難であるため、低音特性の改善に限界があるという問題があった。又、外周部(61)の肉厚がばらつくため、振動板(６)のスピーカ特性が安定せず、音質及び音圧が安定しないという問題があった。更に射出成型等の他の成型方法によっても、加工精度や歩留まり低下等の問題があり、一体成型で上述の振動板(６)を作製することは困難であった。
【０００５】
この問題を解決するため、特許出願人は更に図１４に示す如く、均一な厚さｔ１の振動板(６)を一体成型し、該振動板(６)の中央部(65)の表面に透明の補強板(67)を接着層(66)により固定した振動板アセンブリ(69)を提案している。該振動板アセンブリ(69)によれば、中央部(65)の厚さは補強板(67)の厚さにより任意の大きさに設定することが可能となる。しかしながら、振動板アセンブリ(69)の中央部(65)は、振動板(６)、接着層(66)及び補強板(67)の積層構造を有しているため、中央部(65)の光透過率が低下して、該中央部(65)を通して視覚される画像表示器(５)の画質が劣化するという問題があった。
【０００６】
そこで本発明の目的は、振動板アセンブリ、該振動板アセンブリを具えたスピーカ一体型画像表示装置、及び該表示装置を具えた電子機器において、スピーカ特性を高く維持した上で、振動板アセンブリを通して視覚される画像の品質を保つことである。
【課題を解決するための手段】
【０００７】
本発明に係る画像表示器(５)の表示画面を覆って配置されるべきスピーカユニットの構成要素となる振動板アセンブリは、中央部に前記表示画面に対応する形状の開口(26)を有する外周振動板(20)と、該外周振動板(20)の開口(26)を塞いで該外周振動板(20)に重ね合わせて固定された透明の中央振動板(30)とから構成され、外周振動板(20)の弾性変形によって中央振動板(30)が振動する。
【０００８】
上記本発明の振動板アセンブリによれば、外周振動板(20)の中央部には画像表示器(５)の表示画面に対応する形状の開口が設けられており、画像表示器(５)に表示される画像は透明な中央振動板(30)のみを通して視覚することになる。従って、該画像表示器(５)の表示画面に対応する領域において外周振動板(20)と中央振動板(30)が重なることによる該領域の光透過率の低下を防ぐことが出来る。又、中央振動板(30)は、最適な光学合成樹脂を選択することで、要求される光学特性を満足することが出来る。一方、外周振動板(20)の光透過率は画像の品質に影響を及ぼさないので、更なるスピーカ特性改善のために最適な材質を選択することが出来る。
更に、振動板アセンブリ(２)の中央振動板(30)及び外周振動板(20)は、夫々別体で構成されているので、中央振動板(30)及び外周振動板(20)を夫々に適した厚さに形成することが可能であり、これによって、振動板アセンブリ(２)の強度を必要な大きさに保ちながら、振動板アセンブリ(２)の低音特性を改善することが出来る。
【０００９】
具体的な構成において、外周振動板(20)及び中央振動板(30)はそれぞれ合成樹脂の一体成型品である。
該具体的な構成によれば、中央振動板(30)及び外周振動板(20)を薄いフィルム状に容易に形成することが出来、これによって軽量化が可能となる。
【００１０】
具体的な構成において、前記外周振動板(20)は、前記中央振動板(30)よりも薄肉に形成されている。
又、前記外周振動板(20)は、前記中央振動板(30)を形成する合成樹脂よりも弾性係数の小さな合成樹脂によって形成されている。
【００１１】
該具体的な構成によれば、振動板アセンブリ(２)は、柔軟で容易に弾性変形する外周振動板(20)と剛性の高い中央振動板(30)から構成されるので、振動板アセンブリ(２)の強度を必要な大きさに保ちながら、振動板アセンブリ(２)の低音特性を改善することが出来る。
【００１２】
更に具体的な構成において、前記外周振動板(20)には、前記開口(26)の内周縁に沿って、前記中央振動板(30)の外周部を固定するための環状の平坦部(25)が形成されると共に、該平坦部(25)を包囲して、中央振動板(30)の外周縁が当接する環状の傾斜壁部(24)が形成されている。
【００１３】
該具体的な構成によれば、中央振動板(30)は、その外周縁を外周振動板(20)の平坦部(25)に向かって傾斜した傾斜壁部(24)の斜面にガイドされて、外周振動板(20)の平坦部(25)上に位置決めされる。ここで、外周振動板(20)の平坦部(25)は、開口(26)の内周縁に沿って形成されているので、中央振動板(30)を該開口(26)を塞ぐ位置に正確に固定することが出来る。
【００１４】
更に、本発明に係るスピーカ一体型画像表示装置においては、画像表示器(５)の表示画面を覆ってスピーカユニット(３)が配置されており、前記スピーカユニット(３)は、扁平なフレーム(１)の内部に、振動板アセンブリ(２)と、該振動板アセンブリ(２)を振動させる駆動装置(４)とを配備して構成され、前記振動板アセンブリ(２)は、中央部に前記表示画面に対応する形状の開口(26)を有する外周振動板(20)と、該外周振動板(20)の開口(26)を塞いで該外周振動板(20)に重ね合わせて固定された透明の中央振動板(30)とから構成され、外周振動板(20)の外周部(21)が前記フレーム(１)に固定されて、該外周振動板(20)の弾性変形によって中央振動板(30)が振動する。
【００１５】
上記本発明のスピーカ一体型画像表示装置(７)によれば、外周振動板(20)の中央部には画像表示器(５)の表示画面に対応する形状の開口が設けられており、画像表示器(５)に表示される画像は透明な中央振動板(30)のみを通して視覚することになる。従って、該画像表示器(５)の表示画面に対応する領域において外周振動板(20)と中央振動板(30)が重なることによる該領域の光透過率の低下を防ぐことが出来る。又、中央振動板(30)は、最適な光学合成樹脂を選択することで、要求される光学特性を満足することが出来る。一方、外周振動板(20)の光透過率は画像の品質に影響を及ぼさないので、更なるスピーカ特性改善のために最適な材質を選択することが出来る。
更に、振動板アセンブリ(２)の中央振動板(30)及び外周振動板(20)は、夫々別体で構成されているので、中央振動板(30)及び外周振動板(20)を夫々に適した厚さに形成することが可能であり、これによって、振動板アセンブリ(２)の強度を必要な大きさに保ちながら、振動板アセンブリ(２)の低音特性を改善することが出来る。
【００１６】
具体的な構成において、前記駆動装置(４)は、前記振動板アセンブリ(２)の外周振動板(20)に固定されたコイル(41)と、該コイル(41)に対向させて前記フレーム(１)に配備された磁気発生部(40)とから構成される。
【００１７】
該具体的な構成によれば、コイル(41)及び磁気発生部(40)は、振動板アセンブリ(２)の中央振動板(30)から外れた位置に配置されるので、コイル(41)及び磁気発生部(40)が、中央振動板(30)の前記開口(26)から露出する画像表示器(５)の表示領域に被さることはない。
【００１８】
更に、本発明に係る電子機器は、画像表示器(５)の表示画面を覆ってスピーカユニット(３)が配置されたスピーカ一体型画像表示装置を具え、前記スピーカユニット(３)は、扁平なフレーム(１)の内部に、振動板アセンブリ(２)と、該振動板アセンブリ(２)を振動させる駆動装置(４)とを配備して構成され、前記振動板アセンブリ(２)は、中央部に前記表示画面に対応する形状の開口(26)を有する外周振動板(20)と、該外周振動板(20)の開口(26)を塞いで該外周振動板(20)に重ね合わせて固定された透明の中央振動板(30)とから構成され、外周振動板(20)の外周部(21)が前記フレーム(１)に固定されて、該外周振動板(20)の弾性変形によって中央振動板(30)が振動する。
【００１９】
上記本発明の電子機器によれば、外周振動板(20)の中央部には画像表示器(５)の表示画面に対応する形状の開口が設けられており、画像表示器(５)に表示される画像は透明な中央振動板(30)のみを通して視覚することになる。従って、画像表示器(５)の表示画面に対応する領域において外周振動板(20)と中央振動板(30)が重なることによる該領域の光透過率の低下を防ぐことが出来る。又、中央振動板(30)は、最適な光学合成樹脂を選択することで、要求される光学特性を満足することが出来る。一方、外周振動板(20)の光透過率は画像の品質に影響を及ぼさないので、更なるスピーカ特性改善のために最適な材質を選択することが出来る。
更に、振動板アセンブリ(２)の中央振動板(30)及び外周振動板(20)は、夫々別体で構成されているので、中央振動板(30)及び外周振動板(20)を夫々に適した厚さに形成することが可能であり、これによって、振動板アセンブリ(２)の強度を必要な大きさに保ちながら、振動板アセンブリ(２)の低音特性を改善することが出来る。
【発明の効果】
【００２０】
本発明に係る振動板アセンブリ、該振動板アセンブリを具えたスピーカ一体型画像表示装置、及び該表示装置を具えた電子機器によれば、画像表示器(５)の表示画面は、最適化された光学特性を持つ透明な中央振動板(30)のみを通して視覚されるので、振動板アセンブリ(２)の存在による画質への影響を最小限にすることが出来る。更に、振動板アセンブリ(２)の中央振動板(30)及び外周振動板(20)は、夫々別体で構成されているので、振動板アセンブリ(２)の強度を必要な大きさに保ちながら、振動板アセンブリ(２)の低音特性を改善することが出来る。
【発明を実施するための最良の形態】
【００２１】
以下、本発明の実施形態につき、図面に沿って具体的に説明する。
図１は、本発明に係るスピーカ一体型画像表示装置(７)を搭載した携帯電話機を示している。該携帯電話機において、スピーカ一体型画像表示装置(７)は、蓋体キャビネット(８)に配備されており、該蓋体キャビネット(８)は、複数の操作釦(80)を具えた本体キャビネット(82)にヒンジ(81)を介して連結され、スピーカ一体型画像表示装置(７)から音声及び画像が出力される。
又、図２は本発明に係るスピーカ一体型画像表示装置(７)を搭載したＰＤＡ(personal  digital  assistant：携帯情報端末)を示している。該ＰＤＡにおいては、スピーカ一体型画像表示装置(７)を配備したキャビネット(８)の表面に複数の操作釦(80)が設けられ、アクセスしたウェブサイトから配信される音声及び画像がスピーカ一体型画像表示装置(７)から出力される。
【００２２】
図３及び図５に示す如く、スピーカ一体型画像表示装置(７)は、扁平なフレーム(１)を具え、該フレーム(１)内には、矩形状の液晶パネルからなる画像表示器(５)とスピーカユニット(３)が配備されている。該スピーカユニット(３)は、振動板アセンブリ(２)と、該振動板アセンブリ(２)を振動させる一対の駆動装置(４)(４)とから構成される。
振動板アセンブリ(２)はその周縁部がフレーム(１)に固定されて、画像表示器(５)を覆って配備される。フレーム(１)には、振動板アセンブリ(２)に対向して、前記一対の駆動装置(４)(４)が画像表示器(５)の外側に該画像表示器(５)を挟んで配備されている。
本例では駆動装置(４)が２つ配備されているが、図４に示す如く、画像表示器(５)の各縁に対向して４つ設けられても良い。
【００２３】
図６に示す如く、各駆動装置(４)は、矩形状に巻回されたコイル(41)と、フレーム(１)に該コイル(41)に対向して設けられた磁気発生部(40)とから構成される。磁気発生部(40)は、マグネット(42)と、該マグネット(42)上に配備されたポールピース(44)と、該マグネット(42)に連結された断面Ｕ字状のヨーク(43)とから構成される。コイル(41)は、振動板アセンブリ(２)の外周部振動板(20)に設けられた凸部(23)に固定され、前記ポールピース(44)とヨーク(43)の間のギャップ部に配備される。
該駆動装置(４)においては、マグネット(42)から発生する磁力線が、ポールピース(44)及びヨーク(43)によって形成される磁路に沿ってループ状に伸び、コイル(41)と交叉する。これによって、コイル(41)に駆動力が作用し、振動板アセンブリ(２)が駆動される。
【００２４】
振動板アセンブリ(２)は、図７及び図８に示す如く、夫々合成樹脂の一体成型品である外周振動板(20)と中央振動板(30)とから構成される。
外周振動板(20)は、中央に開口(26)を有すると共に、該開口(26)の内周縁に沿って形成された環状の平坦部(25)と、該平坦部(25)を包囲して形成された環状の傾斜壁部(24)とを具え、前記磁気発生部(40)と対向する部分には、上述の如くコイル(41)が固定される凸部(23)が形成されている。
外周振動板(20)の開口(26)は、前記画像表示器(５)の表示領域と同一若しくは該表示領域よりもやや広く形成されており、画像表示器(５)に表示される画像は、開口(26)及び後述の中央振動板(30)を通して視覚される。従って、外周振動板(20)が透明である必要はなく、外周振動板(20)の材質としては、一般のスピーカユニットの振動板に用いられる安価で信頼性の高い合成樹脂材料、例えばポリエーテルイミド(ＰＥＩ)やポリエチレンナフタレート(ＰＥＮ)等を採用することが可能である。外周振動板(20)の厚さは２０〜５０μｍが好適である。
【００２５】
一方、中央振動板(30)は、透明な光学合成樹脂材料、例えばポリカーボネート(ＰＣ)やポリエーテルサルフォン(ＰＥＳ)等から形成され、平板状を呈している。又、中央振動板(30)の表面に、ＡＲ(アンチ・リフレクション)コート等の表面処理を施すことにより、中央振動板(30)の表面における光の反射を抑制することが可能である。中央振動板(30)の厚さは１００μｍ以上が好適である。
【００２６】
更に、外周振動板(20)と中央振動板(30)は、中央振動板(30)の周縁部と外周振動板(20)の平坦部(25)とを互いに重ね合わせた状態で接着剤等により固定されて、一体の振動板アセンブリ(２)が構成されている。
【００２７】
図９〜図１１は夫々、振動板アセンブリ(２)の各種構成例を示している。
図９(ａ)(ｂ)に示す振動板アセンブリ(２)においては、外周振動板(20)の開口部(26)の内周縁に沿って平坦部(25)が形成されると共に、該平坦部(25)を包囲して断面円弧状の屈曲部(24)が形成されている。中央振動板(30)は、その外周縁を該屈曲部(24)の斜面に案内されて、前記平坦部(25)上に位置決めされる。従って、中央振動板(30)を外周振動板(20)の開口(26)を塞ぐ位置に容易に且つ正確に固定することが出来る。
【００２８】
又、図１０(ａ)(ｂ)に示す振動板アセンブリ(２)においては、外周振動板(20)の開口部(26)の内周縁に沿って平坦部(25)が形成されると共に、該平坦部(25)を包囲して環状の傾斜壁部(24)が形成されている。一方、中央振動板(30)の外周縁には、前記傾斜壁部(24)の斜面に対応する屈曲部(32)が形成されている。中央振動板(30)の屈曲部(32)が外周振動板(20)の傾斜壁部(24)によって案内され、中央振動板(30)は、外周振動板(20)の平坦部(25)上に位置決めされる。従って、中央振動板(30)を外周振動板(20)の開口(26)を塞ぐ位置に容易に且つ正確に固定することが出来る。
【００２９】
更に、図１１(ａ)(ｂ)に示す振動板アセンブリ(２)においては、外周振動板(20)の開口部(26)の内周縁に沿って平坦部(25)が形成されると共に、該平坦部(25)を包囲して環状の傾斜壁部(24)が形成されている。中央振動板(30)は、その外周縁を該傾斜壁部(24)に案内されて、外周振動板(20)の裏面側から前記平坦部(25)に位置決めされる。従って、中央振動板(30)を外周振動板(20)の開口(26)を塞ぐ位置に容易に且つ正確に固定することが出来る。
【００３０】
上記本発明の携帯電話機やＰＤＡにおいては、振動板アセンブリ(２)が、中央部に画像表示器(５)の表示画面に対応する形状の開口(26)を有する外周振動板(20)と、該外周振動板(20)の開口(26)を塞いで該外周振動板(20)に重ね合わせて固定された透明の中央振動板(30)とから構成されており、画像表示器(５)に表示される画像は透明な中央振動板(30)のみを通して視覚することになる。従って、該画像表示器(５)の表示画面に対応する領域において外周振動板(20)と中央振動板(30)が重なることによる該領域の光透過率の低下を防ぐことが出来る。又、中央振動板(30)は、最適な光学合成樹脂を選択することで、要求される光学特性を満足することが出来る。一方、外周振動板(20)の光透過率は画像の品質に影響を及ぼさないので、更なるスピーカ特性改善のために最適な材質を選択することが出来る。
更に、振動板アセンブリ(２)の中央振動板(30)及び外周振動板(20)は、夫々別体で構成されているので、中央振動板(30)及び外周振動板(20)を夫々に適した厚さに形成することが可能であり、これによって、振動板アセンブリ(２)の強度を必要な大きさに保ちながら、振動板アセンブリ(２)の低音特性を改善することが出来る。
【００３１】
尚、本発明の各部構成は上記の実施形態に限らず、特許請求の範囲に記載の技術的範囲内で種々の変形が可能である。例えば、中央振動板(30)の形状は矩形状であるとしたが、画像表示器(５)の表示領域の形状に合わせて種々の形状を採用することができる。
又、画像表示器(５)として液晶パネルを例示したが、有機ＥＬディスプレイや無機ＥＬディスプレイであってもよい。
更に、スピーカ一体型画像表示装置を携帯電話器やＰＤＡに使用することを例示したが、デジタルカメラやデジタルビデオに用いてもよい。
【図面の簡単な説明】
【００３２】
【図１】本発明に係るスピーカ一体型画像表示装置を具えた携帯電話器の斜視図である。
【図２】本発明に係るスピーカ一体型画像表示装置を具えたＰＤＡの斜視図である。
【図３】本発明に係るスピーカ一体型画像表示装置の正面図である。
【図４】本発明に係るスピーカ一体型画像表示装置の他の構成例を示す正面図である。
【図５】図３のＡ−Ａ線に沿うスピーカ一体型画像表示装置の断面図である。
【図６】図５の要部を示す拡大断面図である。
【図７】図３のＡ−Ａ線に沿う振動板アセンブリの断面図である。
【図８】図３のＢ−Ｂ線に沿う振動板アセンブリの断面図である。
【図９】振動板アセンブリの構成例を示す断面図である。
【図１０】振動板アセンブリの他の構成例を示す断面図である。
【図１１】振動板アセンブリの更に他の構成例を示す断面図である。
【図１２】特許出願中のスピーカ一体型画像表示装置の断面図である。
【図１３】特許出願中のスピーカ一体型画像表示装置における振動板の要部拡大断面図である。
【図１４】特許出願中のスピーカ一体型画像表示装置における振動板アセンブリの要部拡大断面図である。
【図１５】従来のスピーカ一体型画像表示装置を示す断面図である。
【符号の説明】
【００３３】
(１)  フレーム
(２)  振動板アセンブリ
(20)  外周振動板
(24)  傾斜壁部
(25)  平坦部
(26)  開口
(３)  スピーカユニット
(30)  中央振動板
(４)  駆動装置
(40)  磁気発生部
(41)  コイル
(42)  マグネット
(43)  ヨーク
(44)  ポールピース
(５)  画像表示器
(６)  振動板
(７)  スピーカ一体型表示装置
【図１】
2006054668.tif 000003
【図２】
2006054668.tif 000004
【図３】
2006054668.tif 000005
【図４】
2006054668.tif 000006
【図５】
2006054668.tif 000007
【図６】
2006054668.tif 000008
【図７】
2006054668.tif 000009
【図８】
2006054668.tif 000010
【図９】
2006054668.tif 000011
【図１０】
2006054668.tif 000012
【図１１】
2006054668.tif 000013
【図１２】
2006054668.tif 000014
【図１３】
2006054668.tif 000015
【図１４】
2006054668.tif 000016
【図１５】
2006054668.tif 000017